(57)【要約】【課題】  自動ドア装置等のドア本体の下方に設けられるガイド機構であって、ガイド溝に溜まってしまった雨水を好ましく排水させることができる上、ガイド溝に溜まってしまったゴミを綺麗に掃きださせることができるガイド機構を提供する。【解決手段】  ガイド溝４０のスライド移動方向Ｄのフィックス板側内端部４８ｂの周辺に、外部と通じる排水穴５１が設けられ、外縁５６ａが前記排水穴５１より中央寄りに位置された前記ガイド溝４０の内底面４６及び内側面と接し且つ前記ガイド溝４０の開口端４９に向かうにつれて前記フィックス板側内端部４８ｂに向かって傾斜された仕切り板５６が、前記フィックス板側内端部４８ｂ側の上蓋５３の内側端縁５４に、ヒンジ結合されることによって回転可能に軸支されている。【選択図】  図４
2006316453.tif 000002
【特許請求の範囲】
【請求項１】
スライド移動されるドア本体の下部から突出して設けられたガイド部が遊びを有した状態で嵌め込まれるガイド溝を有した、前記ドア本体のスライド移動を案内するガイド機構であって、
前記ガイド溝の長さ方向の内端部の周辺に、外部と通じる排水穴が設けられ、
外縁が前記排水穴より中央寄りに位置された前記ガイド溝の内底面及び内側面と接し且つ前記ガイド溝の開口端に向かうにつれて前記内端部に向かって傾斜した状態に配置された仕切り板が、前記内端部側の開口端の縁に回転可能に軸支されていることを特徴とするガイド機構。
【請求項２】
スライド移動されるドア本体の下部から突出して設けられたガイド部が遊びを有した状態で嵌め込まれるガイド溝を有した、前記ドア本体のスライド移動を案内するガイド機構であって、
前記ガイド溝の長さ方向の内端部の周辺に、外部と通じる排水穴が設けられ、
外縁が前記排水穴より中央寄りに位置された前記ガイド溝の内底面及び内側面と接し且つ前記ガイド溝の開口端に向かうにつれて前記内端部に向かって傾斜した状態に配置された仕切り板が、前記内端部側の開口端の縁に引き抜き可能に支持されていることを特徴とするガイド機構。
【請求項３】
前記ガイド溝の前記内端部を覆うように、前記内端部上方の開口端上面に上蓋が設けられ、
前記上蓋の内側端縁が、前記開口端の前記縁とされることを特徴とする請求項１または請求項２に記載のガイド機構。
【請求項４】
前記排水穴に、外方に延びる排水パイプが接続されていることを特徴とする請求項１から請求項３のうち何れか一項に記載のガイド機構。
【発明の詳細な説明】
【技術分野】
【０００１】
この発明は、ドア本体のスライド移動を案内するガイド機構に関し、特に、自動ドア装置において、スライド移動されるドア本体の下部から突出して設けられたガイド部を嵌め込め、該ドア本体のスライド移動を案内するガイド溝を有したガイド機構に関する。
【背景技術】
【０００２】
従来から、ドア本体と、そのドア本体をスライド移動させる駆動機構を有してなる自動ドア装置が提供されている。この種の自動ドア装置は、一般に、ドア本体の上方に駆動機構が設けられると共に、ドア本体の下方にドア本体を安定的にスライド移動させるガイド機構が設けられている。また、この自動ドア装置は、適宜の検出器と制御器とが設けられ、その検出器が適宜の検出をした場合に、制御器がドア本体をスライド移動させるように制御するようになっている。
【０００３】
また、前記ガイド機構は、ドア本体をスライド移動させた場合に、ドア本体の厚さ方向への揺れを防止することを目的として設けられたものであって、ドア本体の下部から下方に向かって突出するガイド部が、ドア本体の下方にドア本体の移動方向に延びたガイド溝に、適宜の遊びを有した状態で嵌め込まれている。なお、このガイド溝は、底板部と底板部を囲うように一体となった側板部とを有してなる樋状で構成されたものとなっている。
【０００４】
一方、この種の自動ドア装置にあっては、屋外に面した箇所に設置される場合がある。屋外に面した箇所に設置された自動ドア装置は、降雨等の影響を受ける、すなわち、雨水を前記ガイド溝に溜まらせてしまう場合がある。このように、ガイド溝に雨水を溜まらせてしまうと、ドア本体をスライド移動させた場合に、ガイド部が雨水を押しのけ、雨水を跳ね上げさせてしまう。跳ね上げられた雨水は、ドア本体の前に立つ人間の衣服を汚してしまうことがあった。
【０００５】
このような問題を解消するにあたっては、ガイド溝の底板部に外部と通じる排水穴が設けられたものが提供されている（特許文献１参照）。このようにガイド溝に排水穴が設けられた場合、ガイド溝に溜まった雨水は、この排水穴から排水される。
【特許文献１】特開平１１−２９９７６号公報
【発明の開示】
【発明が解決しようとする課題】
【０００６】
ところで、この種の自動ドア装置に設けられるガイド溝は、ドア本体の下方に設けられたものとなっている。そのため、このガイド溝内に埃等のゴミが溜まり易いものとなっていた。ガイド溝内に埃等のゴミが溜まってしまった場合、この排水穴は、ゴミによって詰まってしまい、雨水を排水させ難くなる問題が生じていた。
【０００７】
この発明は、このような事情に鑑みなされたものであって、その目的は、自動ドア装置等のドア本体の下方に設けられるガイド機構であって、ガイド溝に溜まってしまった雨水を好ましく排水させることができる上、ガイド溝に溜まってしまったゴミを綺麗に掃きださせることができるガイド機構を提供することにある。
【課題を解決するための手段】
【０００８】
前記課題を解決するために、この発明は、以下の手段のガイド機構を提供する。
すなわち、請求項１に係る発明は、スライド移動されるドア本体の下部から突出して設けられたガイド部が遊びを有した状態で嵌め込まれるガイド溝を有した、前記ドア本体のスライド移動を案内するガイド機構であって、前記ガイド溝の長さ方向の内端部の周辺に、外部と通じる排水穴が設けられ、外縁が前記排水穴より中央寄りに位置された前記ガイド溝の内底面及び内側面と接し且つ前記ガイド溝の開口端に向かうにつれて前記内端部に向かって傾斜した状態に配置された仕切り板が、前記内端部側の開口端の縁に回転可能に軸支されていることを特徴とする。
【０００９】
請求項１に係るガイド機構にあっては、ガイド溝の長さ方向の内端部の周辺に、外部と通じる排水穴が設けられているので、雨水が溜まってしまった場合に、この排水穴から雨水を外部へと排水させることができる。また、外縁が、ガイド溝内において、排水穴より中央寄りに位置されたガイド溝の内底面と内側面と接すると共に、ガイド溝の開口端に向かうにつれて内端部に向かって傾斜した状態に配置された仕切り板が設けられたものとなっているので、ガイド溝内に埃等のゴミが溜まった場合に、箒等で、ガイド溝の内端部に向かって掃いていけば、ゴミは、この傾斜された仕切り板に沿って滑らかに外に掃きだされる。また、このガイド溝内に設けられた仕切り板は、内端部側の開口端の縁に回転可能に軸支されているので、ガイド溝に雨水が溜まってしまった場合には、この仕切り板を回転させて上げることで、このガイド溝に溜まった雨水を排水穴に導くことができる。なお、このガイド機構は、ガイド部がガイド溝に遊びを有した状態で嵌め込まれ（遊嵌され）、その状態でドア本体のスライド移動を案内する。
【００１０】
請求項２に係る発明は、スライド移動されるドア本体の下部から突出して設けられたガイド部が遊びを有した状態で嵌め込まれるガイド溝を有した、前記ドア本体のスライド移動を案内するガイド機構であって、前記ガイド溝の長さ方向の内端部の周辺に、外部と通じる排水穴が設けられ、外縁が前記排水穴より中央寄りに位置された前記ガイド溝の内底面及び内側面と接し且つ前記ガイド溝の開口端に向かうにつれて前記内端部に向かって傾斜した状態に配置された仕切り板が、前記内端部側の開口端の縁に引き抜き可能に支持されていることを特徴とする。
【００１１】
請求項２に係るガイド機構にあっては、ガイド溝の長さ方向の内端部の周辺に、外部と通じる排水穴が設けられているので、雨水が溜まってしまった場合に、この排水穴から雨水を外部へと排水させることができる。また、外縁が、ガイド溝内において、排水穴より中央寄りに位置されたガイド溝の内底面及び内側面に接すると共に、ガイド溝の開口端に向かうにつれて内端部に向かって傾斜した状態に配置された仕切り板が設けられたものとなっているので、ガイド溝内に埃等のゴミが溜まった場合に、箒等で、ガイド溝の内端部に向かって掃いていけば、ゴミは、この傾斜された仕切り板に沿って滑らかに外に掃きだされる。また、このガイド溝内に設けられた仕切り板は、内端部側の開口端の縁に引き抜き可能に支持されているので、ガイド溝に雨水が溜まった場合には、この仕切り板をスライドさせるように引き抜くことで、ガイド溝に溜まってしまった雨水を排水穴に導くことができる。なお、このガイド機構は、ガイド部がガイド溝に遊びを有した状態で嵌め込まれ（遊嵌され）、その状態でドア本体のスライド移動を案内する。
【００１２】
請求項３に係る発明は、請求項１または請求項２に記載のガイド機構において、前記ガイド溝の前記内端部を覆うように、前記内端部上方の開口端上面に上蓋が設けられ、前記上蓋の内側端縁が、前記開口端の前記縁とされることを特徴とする。
【００１３】
請求項３に係るガイド機構にあっては、ガイド溝の内端部を覆うように、内端部の開口端の上面に上蓋が設けられているので、このガイド溝の内端部は、この上蓋によって覆われることとなる。さらに、この上蓋の内側端縁が開口端の縁とされているので、上述した仕切り板は、この内側端縁に、回転可能に軸支、若しくは、引き抜き可能に支持されていることとなる。これによって、上述したように、傾斜された仕切り板に沿って滑らかに外に掃きだされたゴミは、この上蓋の上面に掃きだされるので、収集され易いものとなる。
【００１４】
請求項４に係る発明は、請求項１から請求項３のうち何れか一項に記載のガイド機構において、前記排水穴に、外方に延びる排水パイプが接続されていることを特徴とする。
【００１５】
請求項４に係るガイド機構にあっては、排水穴に、外方に延びる排水パイプが接続されているので、排水穴から排水される雨水は、例えば、このガイド機構が設けられた自動ドア装置から離れた、適宜の箇所に排水させることができる。例えば、近くに設けられた側溝等の排水路に、ガイド水に溜まった雨水を排水させることができる。従って、このガイド機構が設けられた自動ドア装置の近辺を水浸しにすることなく、好ましく雨水を排水させることができる。
【発明の効果】
【００１６】
この発明に係るガイド機構によれば、ガイド溝に溜まってしまった雨水を排水させることができるので、ガイド溝に溜まってしまった雨水を跳ね上げさせてドア本体の近傍に立つ人の衣服を汚すような問題を解消でき、さらに、ガイド溝に溜まってしまったゴミを綺麗に掃きださせることができるので、ガイド溝内を移動するガイド部の障害物が除去されたものとなって、ガイド部をガイド溝内でスムーズに移動させることができる。また、ガイド溝内のゴミを綺麗に除去することができるので、ガイド溝の清潔さも保てて、見た目にも良いものとなる。
【発明を実施するための最良の形態】
【００１７】
以下、この発明に係るガイド機構の最良の実施形態について、図面を参照しながら説明する。
図１は、この発明のガイド機構が設けられた自動ドア装置の正面図であって、駆動機構の外蓋が外されている図である。図１に示す符号１は、この発明に係るガイド機構１０を備える自動ドア装置である。この自動ドア装置１は、建物Ｂの出入口に設置されるものであって、スライド移動可能なドア本体３０と、このドア本体３０の上方の建物Ｂの壁部Ｂ１に取り付けられる駆動機構２０と、このドア本体３０の下方であって且つドア本体３０のスライド移動の範囲に延びて設けられるガイド溝４０とから大略構成されている。そして、このドア本体２０がスライド移動することによって、この建物Ｂの出入口は開閉される。なお、ドア本体３０に隣接する（図中の右方）位置には、フィックス板２８が設けられ、符号２９は自動ドア装置１の枠体を示している。
【００１８】
また、駆動機構２０は、図２の駆動機構の拡大正面図にも示すように、この建物Ｂの壁部Ｂ１に固定して取り付けられるベース２１と、このベース２１の下部にドア本体３０のスライド移動の範囲に及んで延びる懸架レール２２と、このベース２１の一端近傍に設けられる駆動プーリ２３と、このベース２１の他端近傍に設けられる従動プーリ２４とを備える。また、駆動プーリ２３と従動プーリ２４とにはタイミングベルトＴが巻回されており、駆動プーリ２３に内蔵される駆動モータの駆動力によって、そのタイミングベルトＴは移動するものとなっている。
【００１９】
さらに、このタイミングベルトＴには、ドア本体３０の上部と連結された懸架車２５が連結されている。この懸架車２５は、前記懸架レール２２上に設けられた適宜の車輪２５ａによって、ドア本体３０を懸架しながら移動可能になっている。つまり、駆動プーリ２３によって移動されたタイミングベルトＴに伴って懸架車２５を移動する。そして、その懸架レール２２上の懸架車２５の移動によってドア本体３０をスライド移動させる。また、図中の符号２６は、車輪２６ａを備えて懸架レール２２上を移動する補助懸架車を示す。この補助懸架車２６は、懸架車２５とは異なり、タイミングベルトＴには連結されていないが、ドア本体３０の上部とは連結されたものとなっており、ドア本体３０を安定的にスライド移動させるものとなっている。
【００２０】
一方、この駆動プーリ２３は、図示されない制御装置に接続されたものとなっている。その制御装置は、適宜に設けられた検出器の検出にしたがって、駆動プーリ２３の駆動を制御する。ここで、ドア本体３０は、懸架車２５及び補助懸架車２６によって懸架されている。これによって、ドア本体３０は、下部が接地されていない、浮いた状態（フロート状態）で、ドア本体３０をスライド移動させるようになっている。なお、この『ドア本体３０のスライド移動方向（以下、単にスライド移動方向）』とは、図中の符号Ｄで示すように、図１において左右方向となっており、開スライド移動方向Ｄ１でドア本体３０が開くように移動し、閉スライド移動方向Ｄ２でドア本体３０が閉まるように移動するものとなっている。
【００２１】
次に、この自動ドア装置１のドア本体３０の下部に設けられるガイド機構について、図３を参照しながら説明する。なお、図３は、図１においてのＸ−Ｘ断面（ドア本体３０の厚さ方向の断面）矢視を示す図となっている。なお、この『ドア本体３０の厚さ方向（以下、単に厚さ方向）』とは、図中の符号Ｅで示すように、ドア本体３０自体の厚さの方向であり、図１及び図２において示すスライド移動方向Ｄに対して直交する方向とも一致する。
【００２２】
このガイド機構１０は、ドア本体３０の下部から下方に突出して設けられるガイド部１１を案内するガイド溝４０を有するものであって、ガイド溝４０の長さ方向（スライド移動方向Ｄ）のフィックス板２８側の端部には排水機構５０が設けられている。ガイド溝４０は、ドア本体３０の下方であって、該ドア本体３０のスライド移動可能な範囲に延びて設けられている。このガイド溝４０は、図３に示すように、フロアＦ面を予め略凹状に刳り抜かれた刳り貫き溝４１に、材がステンレスとされ、適宜の箇所が折り曲げられて形成されたカバー体４２が設置されている。また、このカバー体４２の外縁は、スライド移動方向Ｄに面が形成されるように折り曲げ部４３が形成されており、このカバー体４２の底部４４ａと側壁部４４ｂとによって溝部４５が構成される。なお、この底部４４ａの溝部４５内の面がガイド溝４０の内底面４６とされ、側壁部４４ｂの溝部４５内の面がガイド溝４０の内側面４７とされる。また、この溝部４５内においては、図１に示すように、スライド移動方向Ｄの端部がガイド溝４０の内端部４８（４８ａ，４８ｂ）とされ、上方の開口された箇所がガイド溝４０の開口端４９とされる。
【００２３】
このように構成されたガイド溝４０に嵌め込まれるガイド部１１は、図３に示すように、ドア本体３０の下部から下方に突出して設けられている。すなわち、ガイド部１１は、その幅がガイド溝４０の溝部４５の内幅より僅かに小さくされ、下方への突出長さが前記ガイド溝４０の溝部４５の深さより僅かに小さくされ、スライド移動方向の長さが適宜長とされた略直方体形状で構成されたものとなっている。このガイド部１１は、図１に示すように、ドア本体３０のスライド移動方向Ｄに適宜間隔で離間されて、２つ設けられたものとなっており、スライド移動方向Ｄに適宜間隔で２つ設けられることによって、ドア本体３０をスライド移動させることができる。
【００２４】
このようにガイド部１１が構成されることによって、このガイド部１１は、ガイド溝４０内に、ガイド溝４０の底部４４ａと側壁部４４ｂとから僅かに隙間を有して、配置されることとなる。つまり、ガイド部１１は、ガイド溝４０に適度に遊びを有した状態で嵌め込まれることとなる。これによって、ガイド部１１は、ガイド溝４０内を、ドア本体３０のスライド移動に伴って滑らかに移動することができる。なお、ドア本体３０が、厚さ方向Ｅに揺れた場合には、このドア本体３０の下部に設けられているガイド部１１が、ガイド溝４０の内側面４７に当接することとなって、その揺れは規制されることとなる。
【００２５】
次に、このガイド溝４０のフィックス板側内端部４８ｂ側に設けられる排水機構５０について説明する。この排水機構５０は、図１中の符号Ｈで示すように、ガイド溝４０の片側の内端部とされるフィックス板側内端部４８ｂ側に設けられている。すなわち、その符号Ｈが付される箇所が拡大された正面断面（スライド移動方向Ｄ断面）の図４、及び、図４のＹ−Ｙ断面矢視を示す図５に示すように、この排水機構５０は、フィックス板側内端部４８ｂの周辺とされた底部４４ａに、外部と通じるように貫通された排水穴５１が設けられている。また、この排水穴５１の下方には、排水パイプ５２の一端が接続されたものとなっている。この排水パイプ５２は、適宜の内径を有してなるものであって、その他端は外部に設けられた側溝Ｓ等の適宜の箇所に向けられている。
【００２６】
また、前記排水穴５１の上方、つまり、フィックス板側内端部４８ｂの上方の、ガイド溝４０の開口端４９には、このフィックス板側内端部４８ｂを覆うようにされた上蓋５３が設けられている。この上蓋５３は、前記排水穴５１を覆う程度の範囲で設けられたものとなっている。そして、この上蓋５３のうち、ガイド溝４０の内方に内側端縁５４が位置されたものとなっている。この内側端縁５４は、このガイド溝の内幅（ドア本体３０の厚さ方向Ｅの幅）に亘っており、ピン部材５５ｂを保持する保持孔５５ａが設けられている。そして、この保持孔５５ａに保持されたピン部材５５ｂを介して、仕切り板５６が回転可能に軸支されている。つまり、仕切り板５６の一端縁にも、ピン部材５５ｂが挿通可能な連結孔５５ｃが設けられており、この連結孔５５ｃにもピン部材５５ｂが挿通されている。つまり、仕切り板５６は、上蓋５３の内側端縁５４にヒンジ結合されたものとなっている。なお、この上蓋５３の内側端縁５４は、この発明における開口端４９の縁とされる箇所となっている。
【００２７】
この仕切り板５６は、図４に示すように、その外縁５６ａ，５６ｂが、前記排水穴５１から中央寄りの溝部４５の内底面４６及び内側面４７と接するように構成されている。具体的には、仕切り板５６は、ヒンジ結合された一端縁と対向する他端縁（内底面４６側の縁）が、内底面４６の幅に合わされ、仕切り面が長方形状となるように構成されたものとなっている。これによって、長手方向の縁は、溝部４５の内側面４７と接するものとなっている。また、この仕切り板５６は、内底面４６に接した安定状態の場合に、この溝部４５の開口端４９に向かうにつれて内端部４８に向かって傾斜されるようになっている。具体的には、この仕切り板５６の長手方向の長さが、この溝部４５の深さよりも長く構成されたものとなっている。なお、この仕切り板５６は、上述したように、上蓋５３の内側端縁５４にヒンジ結合されているので、この上蓋５３の内側端縁５４を中心軸として回転できるものとなっている。また、この仕切り板５６は、安定状態において、外縁の下部５６ａが内底面４６と接し、側部５６ｂが内側面４７と接するようになっている。
【００２８】
上述のガイド機構１０にあっては、仕切り板５６を、上蓋５３の内側端縁５４にヒンジ結合されるように構成されるものであったが、この仕切り板５６は、上蓋５３の内側端縁５４において支持されるものであってもよい。すなわち、正面断面（スライド移動方向Ｄ断面）の図６、及び、図６のＺ−Ｚ断面矢視を示す図７に示すように、内側端縁５４の近傍の溝部４５の内側面４７上に、内方に突出された突出支持部５７が設けられる。この突出支持部５７は、仕切り板５６の引き抜きを案内するように、仕切り板５６の安定状態に合わせられた対向面を有して構成されている。そして、この突出支持部５７は、仕切り板５６を挟み込んで支持する。このようにして仕切り板５６は、引き抜き可能に構成されたものとなっている。なお、上述の実施の形態と同様に構成される箇所については、同一の符号を付して、その説明を省略する。
【００２９】
このように、ガイド溝４０と、このガイド溝４０の内側面４７に当接可能なガイド部１１とが設けられることによって、ドア本体３０の厚さ方向Ｅの揺れを規制するガイド機構１０は、次のような作用を奏する。
すなわち、上述したように仕切り板５６の一端縁が内底面４６と接すると共に両側縁が内側面４７と接している安定状態においては、この内底面４６に溜まった埃等のゴミを、箒等で、溝部４５の内端部４８（フィックス板側内端部４８ｂ）に掃いていけば、安定状態で傾斜された仕切り板５６に沿って滑らかに溝部４５の外に掃きだされることとなる。これによって、ガイド溝４０内を移動するガイド部１１の障害物が除去されたものとなって、ガイド部１１をガイド溝４０内でスムーズに移動させることができる。また、ガイド溝４０内のゴミを綺麗に除去することができるので、ガイド溝４０の清潔さも保てて、見た目にも良いものとなる。また、この仕切り板５６に沿って外に掃きだされたゴミは、上蓋５３の上面にだされることとなるので、掃きだされた後にゴミは、収集され易いものとなる。
【００３０】
また、このガイド溝４０内に雨水が溜まった場合には、仕切り板５６が上蓋５３の内側端縁５４にヒンジ結合されているものにあっては、この仕切り板５６を回転させて、他端縁を溝部４５の内底面４６から離間させることによって、排水穴５１に雨水を導き入れることができる。これによって、ガイド溝に溜まってしまった雨水は、排水穴５１から排水される。これによって、ガイド溝４０に溜まってしまった雨水は、ドア本体３０が移動した場合であてもガイド部１１によって押しのけられて跳ね上げられないものとなるので、ドア本体３０の近傍に立つ人の衣服を汚すような問題を解消できる。また、排水された雨水は、排水穴５１と接続される排水パイプ５２によって、近くに設けられた側溝等の排水路に排水させることができる。従って、このガイド機構１０が設けられた自動ドア装置１の近辺を水浸しにすることなく、溜まってしまった雨水を排水させることができる。
【００３１】
また、仕切り板５６が突出支持部５７と上蓋５３の内側端縁５４とによって挟み込むように支持されているものにあっては、この仕切り板５６を引き抜いて、他端縁を溝部４５の内底面４６から離間させることによって、排水穴５１に雨水を導き入れることができる。これによって、ガイド溝４０に溜まってしまった雨水は、排水穴５１から排水される。これによって、ガイド溝４０に溜まってしまった雨水は、ドア本体３０が移動した場合であてもガイド部１１によって押しのけられて跳ね上げられないものとなるので、ドア本体３０の近傍に立つ人の衣服を汚すような問題を解消できる。
【００３２】
なお、この発明のガイド機構は、上述したような実施の形態に限定されるものではなく、この発明の趣旨を逸脱しない範囲において適宜に選択して構成することができる。例えば、前記排水穴５１は、この溝部４５のうち、フィックス板側内端部４８ｂの周辺とされた底部４４ａに設けられたが、これに限定されることなく、図８に示すように、フィックス板側内端部４８ｂの周辺とされた側壁部４４ｂに設けられるものであってもよい。ただし、この側壁部４４ｂに設けられた排水穴５１Ａは、この溝部４５内の全ての雨水を外部に排水するために、その排水穴５１の開口された下側が、前記内底面４６と面一となるような同一の高さに設けられることが好ましい。また、このように排水穴５１Ａが設けられた場合にあっては、前記排水パイプ５２Ａは、ガイド溝４０の溝部４５が延びる長手方向に延びるように接続されたものとなる。
【００３３】
また、上述したガイド機構１０にあっては、フィックス板側内端部４８ｂの上方の、ガイド溝４０の開口端４９に、このフィックス板側内端部４８ｂを覆うようにされた上蓋５３が設けられ、この上蓋５３の内側端縁５４に、仕切り板５６を軸支したり支持したりするように構成した。しかしながら、この実施の形態に限定されることなく、上蓋５３を設けずに構成されるものであってもよい。
【００３４】
すなわち、図９（ａ）及び図９（ｂ）に示すように、仕切り板５６を、フィックス板側内端部４８ｂ側の開口端の縁５８に回転可能に直接的に軸支するように構成されるものであったり、また、フィックス板側内端部４８ｂ側の開口端の縁に引き抜き可能に直接的にされたり支持されたりするように構成されるものであってもよい。このような場合であっても、この仕切り板５６は、外縁の下部が、上述した排水穴５１より中央寄りに位置された内底面４６と接触するように設けられる。また、仕切り板５６が接触する内側面４７は、全てではないが、その一部が排水穴５１より中央寄りに位置されたものとなる。なお、上述の実施の形態と同様に構成される箇所については、同一の符号を付して、その説明を省略する。
【図面の簡単な説明】
【００３５】
【図１】この発明のガイド機構が設けられた自動ドア装置の正面図である。
【図２】駆動機構の拡大正面図である。
【図３】ガイド部とガイド溝を示す図１のＸ−Ｘ断面矢視図である。
【図４】排水機構の一例を示す正面断面（長手方向断面）図である。
【図５】図４のＹ−Ｙ断面矢視図である。
【図６】排水機構の他の例を示す正面断面（長手方向断面）図である。
【図７】図６の断面Ｚ−Ｚ矢視図である。
【図８】排水穴の他の例を示す正面断面（長手方向断面）図である。
【図９】仕切り板の取り付けの他の例を示す正面断面（長手方向断面）図である。
【符号の説明】
【００３６】
１    自動ドア装置
１０    ガイド機構（ガイド機構の要部）
１１    ガイド部
４０    ガイド溝
４６    内底面
４７    内側面
４８ｂ    フィックス板側内端部
４９    開口端
５１    排水穴
５３    上蓋
５４    内側端縁
５６    仕切り板
５６ａ，５６ｂ    外縁
Ｄ    スライド移動方向
Ｅ    厚さ方向
Ｆ    フロア
【図１】
2006316453.tif 000003
【図２】
2006316453.tif 000004
【図３】
2006316453.tif 000005
【図４】
2006316453.tif 000006
【図５】
2006316453.tif 000007
【図６】
2006316453.tif 000008
【図７】
2006316453.tif 000009
【図８】
2006316453.tif 000010
【図９】
2006316453.tif 000011